(57)【要約】  ジグソーとして形成された工作機械（１）のために、鋸刃（８）の背面側の支持部（２０）が、鋸刃（８）の回転軸線（２２）に対して直交方向で鋸刃（８）の刃方向に設けられており、支持部（２０）は、鋸刃によって回転方向で連行される支持部（２０）として形成されている。
2011520627.tif 000002
【特許請求の範囲】
【請求項１】
工作機械、特に手持ち式の工作機械（１）であって、該工作機械（１）はジグソー（２）として形成されていて、鋸刃（８）が設けられており、鋸刃（８）は、長手方向で延びる回転軸線（２２）を有していて、回転軸線（２２）の方向で往復運動可能に駆動されていて、鋸刃（８）のために、背面側に鋸刃（８）と一緒に回転する支持装置（３７）が設けられている形式のものにおいて、
支持装置（３７）が鋸刃（８）によって連行されて、鋸刃（８）と共に回転されることを特徴とする、工作機械、特に手持ち式の工作機械。
【請求項２】
工作機械、特に手持ち式の工作機械（１）であって、該工作機械（１）はジグソー（２）として形成されていて、鋸刃（８）が設けられており、鋸刃（８）は、長手方向で延びる回転軸線（２２）を有していて、回転軸線（２２）の方向で往復運動可能に駆動されていて、鋸刃（８）のために、背面側に鋸刃（８）と一緒に回転する支持装置（３７）が設けられている、特に請求項１に記載の形式のものにおいて、
支持装置（３７）と鋸刃（８）とが互いに回転可能に支承されていることを特徴とする、工作機械、特に手持ち式の工作機械。
【請求項３】
支持装置（３７）と鋸刃（８）との回転軸線が、少なくともほぼ同じ位置である、請求項１又は２記載の工作機械。
【請求項４】
支持装置（３７）が、鋸刃（８）を少なくとも部分的に取り囲むガイド軌道（２６）に沿って調節可能である、請求項１から３までのいずれか１項記載の工作機械。
【請求項５】
ガイド軌道（２６）が、鋸刃（８）の回転軸線（２２）に対して少なくともほぼ同心的に延びている、請求項１から４までのいずれか１項記載の工作機械。
【請求項６】
ガイド軌道（２６）がガイド溝（２５）として形成されている、請求項１から５までのいずれか１項記載の工作機械。
【請求項７】
支持装置（３７）が支持アーム（２８）を有しており、支持アーム（２８）が、鋸刃背面（９）に支持される支持エレメント（３１）を有している、請求項１から６までのいずれか１項記載の工作機械。
【請求項８】
支持エレメント（３１）が凹状に湾曲された支持面（３４）を有しており、支持面（３４）の曲率半径は、少なくとも中央の領域で、鋸刃（８）の回転軸線（２２）から鋸刃背面（９）への距離に少なくともほぼ相当する、請求項７記載の工作機械。
【請求項９】
前記支持面（３４）が縁部に向かって、湾曲が著しくなるように形成されている、請求項８記載の工作機械。
【請求項１０】
支持エレメント（３１）が支持ローラ（３２）によって形成されている、請求項７から９までのいずれか１項記載の工作機械
【請求項１１】
支持アーム（２８）が支持フォークとして形成されていて、支持フォークが、そのウェブの領域でガイド溝（２５）に支持されている、請求項６から１０までのいずれか１項記載の工作機械。
【請求項１２】
支持アーム（２８）が、ガイド溝（２５）に沿って間隔を置いて配置された複数の滑子（２７）を介してガイドされている、請求項１１記載の工作機械。
【請求項１３】
前記滑子（２７）がピン（２９）又はローラとして形成されている、請求項１２記載の工作機械。
【請求項１４】
ガイド溝（２５）が駆動アーム（２４）に設けられていて、駆動アーム（２４）が揺動往復モードで、刃方向に往復運動可能に駆動されている、請求項１から１３までのいずれか１項記載の工作機械。
【請求項１５】
支持アーム（２８）が特に、支持ブリッジの構成部材としての湾曲部（３５）を介して、鋸刃（８）の回転軸線（２２）に対して少なくともほぼ平行な軸線を中心として回転可能である、請求項７から１４までのいずれか１項記載の工作機械。
【請求項１６】
鋸刃（８）が丸く面取りされた鋸刃背面（９）を有している、請求項１から１５までのいずれか１項記載の工作機械。
【発明の詳細な説明】
【技術分野】
【０００１】
本発明は、請求項１の上位概念に記載の形式の工作機械、特に手持ち式工作機械に関する。
【０００２】
背景技術
このような形式の工作機械は、ＥＰ１５９８１３６Ｂ１号特許明細書により公知である。即ち、ジグソーとして構成されていて、鋸刃は往復運動可能に駆動されていて、通常運転では専ら往復運動駆動で作業する。往復運動駆動に、鋸刃平面に対して直交方向に位置する旋回軸線を中心とした旋回運動が重畳されると、ジグソーは揺動往復運動モードで作業する。さらに別の運転形式は、ジグソーがいわゆるスクロールジグソーとして運転されている場合に行われる。この場合、鋸刃の往復駆動に加えて付加的に、鋸刃の長手方向で延びる回転軸線を中心とした鋸刃の回動可能性も得られ、これにより、鋸刃の回転により、その都度の作業方向がほぼ規定されている。
【０００３】
全ての運転形式で鋸刃は背面側で、支持装置を介して負荷される。支持装置は、鋸刃若しくは鋸刃の往復動ロッドに対してほぼ同心的に一緒に回転するように固定されていて、鋸刃背面を負荷する支持エレメントとして支持ローラを有している。この支持ローラは、回転軸線の長手方向で延びるアームに支持されていて、鋸刃平面の方向で僅かな旋回運動を行うことができる。
【０００４】
揺動往復運動モードの場合と同様に、スクロールモードにおいても、支持装置、及び支持装置を支持しているケーシング側の往復ロッドガイドに対して相対的な鋸刃の往復運動可能性が得られる。このような往復運動可能性には、揺動往復運動モードでは、鋸刃平面に対して直交方向に位置する旋回軸線を中心とした、支持装置を備えた往復ロッドガイドの共通の旋回可能性が重畳される。一方、スクロールモードでは、鋸刃の往復ロッドと、鋸刃のための支持装置との共通の旋回可能性が設けられている。このことは、その都度の作業特性には関係なく、鋸刃に対して支持装置は、回転位置において実際に同じ方向付けがなされる。これにより、作業条件が異なる場合に支持特性のバリエーションは殆どなく、さらに比較的構成の手間がかかる。
【０００５】
発明の開示
本発明の課題は、少なくとも構成をさらに複雑にすることなく、種々異なる支持特性を得るための改善された前提条件を得ることである。
【０００６】
この課題は、請求項１によれば、支持装置が鋸刃によって連行されて、鋸刃と共に回転されることにより達成される。従って、支持装置については、その回転軸線の位置において、往復動ロッド、場合によってはケーシング側の往復動ロッドガイドに対して独立的な配置が可能であり、回転可能性については、互いの回転可能性により、共通の駆動装置、例えば往復ロッドに作用する回転駆動装置を省く必要はない。回転可能性、特に共通の軸線を中心とした回転可能性に関する強制連結は回避される。従って、一方では、鋸刃による支持装置の連行を行わせる運動遊びにより、他方では、互いの回転軸線の選択された位置により、並びに、支持輪郭の構成によっても、その都度所望の作業特性が実現される。
【０００７】
本発明によれば有利には、支持装置のために、鋸刃を部分的に取り囲むガイド軌道に沿ったガイド装置が設けられており、その極は、有利には鋸刃の回転軸線に隣接していて、場合によってはこの回転軸線に対して同心的に位置しており、ガイド軌道は、その経過が、極に対して異なる間隔を置いて形成されても良く、このようにして、支持特性に影響を与えることができる。
【０００８】
有利にはガイド軌道は滑子ガイドとして形成されていて、支持装置は、鋸刃背面へのガイド軌道への結合部で有利には支持アームを有しており、この支持アームには鋸刃背面が支持エレメントを介して支持されていて、支持エレメントは特に支持ローラとして形成されている。
【０００９】
支持ローラは有利には、周面側で内側に湾曲するように形成されていて、有利には、鋸刃の回転軸線から鋸刃背面への距離に相当する曲率半径を有している。特に、縁部に向かって湾曲がより強くなるように延びていて良い。本発明では、支持エレメントは、支持装置に対して位置固定されて配置されていても良く、場合によっては、回転不能に配置された支持ローラの形状も可能である。この場合、支持エレメントは、相応に内側に湾曲された支持輪郭を有していて良く、又は、鋸刃背面のための溝状の収容部を有していても良い。
【００１０】
支持アームについては、支持フォークとしての構成が有利であり、支持フォークはガイド溝において相応の滑子を介して保持されており、滑子としてはピン、ローラ等を設けることができる。有利には、ガイド溝は、揺動往復運転において刃方向に往復運動可能に駆動される駆動アームに設けられている。
【００１１】
特に本発明によれば、支持アームをガイド溝によってだけではなく、ガイド溝に対して相応の軸位置である場合には、機械のケーシングに対して、又はケーシング側の往復ロッドガイドに対して回転可能に支持することができる。これにより支持アームの支持とガイドは安定化される。
【００１２】
鋸刃に対する鋸刃背面のずれのない支持に関しては、鋸刃背面が丸く面取りされて形成されていると有利である。
【００１３】
さらなる利点及び有利な構成は、請求項、図面の説明及び図面に記載されている。
【図面の簡単な説明】
【００１４】
【図１】種々の運転形式が可能である手持ち式工作機械として形成された電気駆動されるジグソーを概略的に示した図である。
【図２】図１のジグソーの鋸刃のための支持装置を示した図であり、この場合、鋸刃の回転軸線を中心として鋸刃が回転する際にこの支持装置は連行される。
【図３】図１のジグソーの鋸刃のための別の支持装置を示した図であり、この場合、鋸刃の回転軸線を中心として鋸刃が回転する際にこの支持装置は連行される。
【図４】支持装置の支持アームのブリッジ状の支持部を示した図である。
【図５】支持装置の支持エレメントへの鋸刃の対応配置を概略的に示した図である。
【００１５】
図１には、工作機械の例として、ジグソー２の形の手持ち式工具が示されている。このジグソー２は、ケーシング３を有しており、脚部プレート４を介してワーク５の上に支持されている。
【００１６】
ジグソー２の作業方向前方領域に、ジグソー２は作業工具７として鋸刃８を有している。鋸刃８は作業運転中ワーク５に係合する。ワーク５上にはジグソー２が脚部プレート４を介して摺動可能に支持されている。
【００１７】
ジグソー２のケーシング３には、ジグソー２の作業方向６で延びる旋回軸線を中心として調節可能に支持された脚部プレート４に対して高さ方向で反対の側に、ハンドル１１が設けられている。ハンドル１１の湾曲把持部１２はガイドノブ１４へと延びている。湾曲把持部１２に対して下方から把持するように、スイッチ装置１５が設けられている。このスイッチ装置１５を介してジグソー２はオン・オフ切替される。ジグソー２の異なる運転モードは、ケーシング３の長手方向面に設けられた切換装置１６によって切替可能である。ケーシング３の端壁領域１３は脚部プレート４に向かう側で、作業方向とは逆方向に段付けされて形成されている。段部１７は、鋸刃８によって形成される、駆動される作業工具７のための工具収容部１８をカバーしている。
【００１８】
全体として電気で運転される工作機械１の鋸刃８は、基本作業位置を有しており、この位置では、鋸刃８は、矢印１９で示したように単に往復上下運動可能に駆動され、ジグソー２の長手方向軸線（図示せず）の方向に方向付けられている。
【００１９】
鋸刃８の背面９には支持部２０が配属されていて、この支持部２０は支持装置３７を有している。支持部２０は駆動装置（図示せず）を介して、鋸刃８の平面の方向に往復運動可能に駆動される（矢印２３）。これにより別の作業モード、即ちいわゆる揺動往復運転が行われる。この作業モードでは、鋸刃８は、その刃平面に対して横方向に延びる旋回軸線（図示せず）を中心として、鋸刃８の長手方向で行われる往復運動（矢印１９）に重畳して、旋回可能である。第３の運転形式は矢印２１で示されていて、この運転形式では、鋸刃８は長手方向軸線の方向での往復運動に加えて付加的に、この長手方向軸線の方向で延びる、図１に示した回転軸線２２を中心として旋回運動可能である。これにより鋸刃８は、基本作業位置に相当する矢印６で示した直線作業方向に対して角度をもった作業方向に調節可能であり、これによりジグソー２はいわゆる「スクロールジグソー」として使用可能であり、相応に制御されて調節されている場合には、半自動的なジグソー２としても運転可能である。この場合、ジグソー２を保持する使用者は、作業方向６に向けられた大雑把な送りを行うだけで良く、基準経路によって方向付けられた正確な位置決めは、この基準経路に相当する回転位置に鋸刃８を調節することにより行われる。
【００２０】
図２及び図３には、支持装置３７を備えた支持部２０が示されている。この支持部２０は、揺動往復モードで矢印２３の方向で往復運動可能に駆動され、それ以外の場合では位置固定される、特にロックされる駆動アーム２４を有している。この駆動アーム２４は、支持装置３７に配属された、ガイド溝２５として形成されたガイド軌道２６へと延びている。ガイド軌道２６は鋸刃８の回転軸線２２を中心としてほぼ半円形に延びている。駆動アーム２４に設けられたガイド軌道２６のガイド溝２５内には、支持アーム２８に設けられた滑子２７がガイドされている。滑子２７としてはこの実施例では２つの支持ピン２９が設けられており、これらの支持ピン２９はガイド軌道２６の延在方向で間隔をおいて配置されている。支持アーム２８は駆動アーム２４から鋸刃８に向かって延びていて、鋸刃８に向かってフォークアーム３０の形で延びている。これらフォークアーム３０の間に、図２の構成では支持エレメント３１としてガイドローラ３２が、図３の構成ではころ状のガイド体３３が位置している。ガイドローラ３２は周面にガイド溝を有しており、この溝内に鋸刃８の背面９が係合し、背面領域にある鋸刃８の側縁を把持している。
【００２１】
ころ状のガイド体３３は周面に、図５に概略的に示されたように、鋸刃８が背面側で当接する凹状の内側に湾曲された支持面３４を有しており、凹状の内側の湾曲された形状のこの支持面３４は鋸刃８の背面９だけに当接する。背面９は図５に示されているように、有利には丸く面取りされて形成されていて、従って、ガイド軌道３４に対して単に線接触する。ガイド軌道３４については、その都度支持される鋸刃８に合わせて、鋸刃８の回転軸線２２を中心とした円弧状のような輪郭が有利であって、この円弧の曲率半径は、図５に示したように、その頂点における、回転軸線２２から鋸刃背面９への距離に少なくともほぼ相当する。
【００２２】
駆動アーム２４に対する支持アーム２８の旋回は、連行されるように、即ち、回転軸線２２を中心として鋸刃８が回転運動を行う際に鋸刃８によって連行されるように行われる。これにより、鋸刃８のための背面側の支持部２０が、鋸刃８の回転に受動的に従動する構造が得られる。
【００２３】
図示したように支持ピン２９を使用することは単なる例であり、この支持ピン２９の代わりに、鋸刃８の背面側の支持部で所定の付加的な弾性を与える別の形状エレメント、例えば、曲率半径が適合した、支持アーム２８に設けられた突出部又はばねピンを使用することもできる。
【００２４】
支持アーム２８は、本発明の範囲では付加的に、図４に示されたように、鋸刃８の領域の外側で、例えば、支持アーム２８に取り付けられた湾曲部３５によって回転可能に支持されていても良い。湾曲部３５は、鋸刃８の回転軸線２２に対して軸平行に、例えば往復ロッド３６上にスリーブ３８を介して回転可能に支承されているか、又は、別の形式で相応に、特に往復ロッド３６に対して軸をずらされて、ケーシング側で支持された往復ロッドガイド（図示せず）に支承されている。このような構造は、僅かな手間で、安定的な支持及び正確なガイドのために寄与する。その他の点については、図４の構成は、図２及び図３の説明を参照されたい。
【図１】
2011520627.tif 000003
【図２】
2011520627.tif 000004
【図３】
2011520627.tif 000005
【図４】
2011520627.tif 000006
【図５】
2011520627.tif 000007
【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
手持ち式の工作機械（１）であって、該工作機械（１）はジグソー（２）として形成されていて、鋸刃（８）が設けられており、鋸刃（８）は、長手方向で延びる回転軸線（２２）を有していて、回転軸線（２２）の方向で往復運動可能に駆動されていて、鋸刃（８）のために、背面側に鋸刃（８）と一緒に回転する支持装置（３７）が設けられている形式のものにおいて、
支持装置（３７）が鋸刃（８）によって連行されて、鋸刃（８）と共に回転されることを特徴とする、手持ち式の工作機械。
【請求項２】
支持装置（３７）と鋸刃（８）とが互いに回転可能に支承されている、請求項１記載の工作機械。
【請求項３】
支持装置（３７）と鋸刃（８）との回転軸線が、少なくともほぼ同じ位置である、請求項１又は２記載の工作機械。
【請求項４】
支持装置（３７）が、鋸刃（８）を少なくとも部分的に取り囲むガイド軌道（２６）に沿って調節可能である、請求項１から３までのいずれか１項記載の工作機械。
【請求項５】
ガイド軌道（２６）が、鋸刃（８）の回転軸線（２２）に対して少なくともほぼ同心的に延びている、請求項１から４までのいずれか１項記載の工作機械。
【請求項６】
ガイド軌道（２６）がガイド溝（２５）として形成されている、請求項１から５までのいずれか１項記載の工作機械。
【請求項７】
支持装置（３７）が支持アーム（２８）を有しており、支持アーム（２８）が、鋸刃背面（９）に支持される支持エレメント（３１）を有している、請求項１から６までのいずれか１項記載の工作機械。
【請求項８】
支持エレメント（３１）が凹状に湾曲された支持面（３４）を有しており、支持面（３４）の曲率半径は、少なくとも中央の領域で、鋸刃（８）の回転軸線（２２）から鋸刃背面（９）への距離に少なくともほぼ相当する、請求項７記載の工作機械。
【請求項９】
前記支持面（３４）が縁部に向かって、湾曲が著しくなるように形成されている、請求項８記載の工作機械。
【請求項１０】
支持エレメント（３１）が支持ローラ（３２）によって形成されている、請求項７から９までのいずれか１項記載の工作機械
【請求項１１】
支持アーム（２８）が支持フォークとして形成されていて、支持フォークが、そのウェブの領域でガイド溝（２５）に支持されている、請求項６から１０までのいずれか１項記載の工作機械。
【請求項１２】
支持アーム（２８）が、ガイド溝（２５）に沿って間隔を置いて配置された複数の滑子（２７）を介してガイドされている、請求項１１記載の工作機械。
【請求項１３】
前記滑子（２７）がピン（２９）又はローラとして形成されている、請求項１２記載の工作機械。
【請求項１４】
ガイド溝（２５）が駆動アーム（２４）に設けられていて、駆動アーム（２４）が揺動往復モードで、刃方向に往復運動可能に駆動されている、請求項１から１３までのいずれか１項記載の工作機械。
【請求項１５】
支持アーム（２８）が支持ブリッジの構成部材として、鋸刃（８）の回転軸線（２２）に対して少なくともほぼ平行な軸線を中心として回転可能である、請求項７から１４までのいずれか１項記載の工作機械。
【請求項１６】
鋸刃（８）が丸く面取りされた鋸刃背面（９）を有している、請求項１から１５までのいずれか１項記載の工作機械。
【国際調査報告】
2011520627.tif 000008
2011520627.tif 000009
2011520627.tif 000010
2011520627.tif 000011